(57)【特許請求の範囲】
【請求項１】
扉に固着される固定受座と、固定受座に一定角度離れた非ロック位置とロック位置の間で正逆回転可能に嵌挿される操作ハンドルと、基端側が操作ハンドルに相対回転不可能に支持され扉を貫通して先端側が扉の裏側への突出するハンドル軸と、筐体に取り付けられる受金体と、ハンドル軸の先端側に固着され操作ハンドルのロック位置において受金体の裏側に係合し非ロック位置において受金体から外れる掛金体とを具備する扉のロックハンドル装置において、
前記ハンドル軸は、軸本体と、この軸本体に同心的に螺合された調整ボルトとを具備し、
前記軸本体は、扉の裏側への突出長さを変更できるように、前記操作ハンドルに対して一定範囲で軸線方向に進退自在、かつ突出方向に付勢されて組み込まれ、
前記調整ボルトは、前記操作ハンドルに回転可能に受け止められ扉の外側から回転操作用工具を係合可能な頭部と、頭部から延出して前記軸本体に螺合する軸部とを具備し、
扉の外側から前記調整ボルトを回転操作することにより、前記軸本体を扉に対して軸線方向へ移動して前記受金体に対する前記掛金体の位置を調整可能に構成されることを特徴とする扉のロックハンドル装置。
【発明の詳細な説明】
【技術分野】
【０００１】
本発明は、スチームオーブンなどにおける扉の開閉操作と筐体に対する施錠操作に使用される扉用ロックハンドル装置に関するものである。
【背景技術】
【０００２】
スチームオーブンなどの調理機器に使用される扉用ロックハンドル装置では、筐体内の蒸気や熱気が逃げないように、扉を締め込んで密閉した状態でロックする必要がある。この種の扉用ロックハンドル装置では、扉を貫通するハンドル軸に掛け金体が設けられ、この掛金体に係合する受金体が筐体に設けられる。このようなロックハンドル装置においては、扉の締め込み具合を調整できるように、受金体が、筐体の正面からの突き出し量を調整できるようになっている(例えば特許文献1の図8参照)。
【特許文献１】特開２００４−３０８１７５号公報
【発明の開示】
【発明が解決しようとする課題】
【０００３】
上記従来の扉用ロックハンドル装置においては、扉を閉鎖した状態では、受金体が扉の裏側に隠れてしまうので、密閉状態で扉の締め込み具合を調整することができない。このため、スチームオーブンなどの調理機器において、機器を稼働させて蒸気漏れを確認しながら扉の締め込み具合を調整することができない。
したがって、この出願に係る発明は、密閉状態で扉の締め込み具合を調整することができる扉用ロックハンドル装置を提供することを課題としている。
【課題を解決するための手段】
【０００４】
上記課題を解決するため、この出願に係る発明においては、扉に固着される固定受座と、固定受座に一定角度離れた非ロック位置とロック位置の間で正逆回転可能に嵌挿される操作ハンドルと、基端側が操作ハンドルに相対回転不可能に支持され扉を貫通して先端側が扉の裏側への突出するハンドル軸と、筐体に取り付けられる受金体と、ハンドル軸の先端側に固着され操作ハンドルのロック位置において受金体の裏側に係合し非ロック位置において受金体から外れる掛金体とを具備する扉のロックハンドル装置において、ハンドル軸には、軸本体と、この軸本体に同心的に螺合された調整ボルトとを具備させる。軸本体は、扉の裏側への突出長さを変更できるように、操作ハンドルに対して一定範囲で軸線方向に進退自在、かつ突出方向に付勢して組み込む。調整ボルトには、操作ハンドルに回転可能に受け止められ、扉の外側から回転操作用工具を係合可能な頭部と、頭部から延出して軸本体に螺合する軸部とを具備させる。扉の外側から調整ボルトを回転操作することにより、軸本体を扉に対して軸線方向へ移動して、受金体に対する掛金体の位置を調整可能に構成する。
【発明の効果】
【０００５】
この出願に係る発明の装置によれば、扉の外側から調整ボルトを回転操作することにより、軸本体を扉に対して軸線方向へ移動して、受金体に対する掛金体の位置を調整可能であるから、密閉状態で扉の締め込み具合を調整することができる。
【発明を実施するための最良の形態】
【０００６】
図面を参照してこの発明の実施の形態を説明する。図１は本発明の実施形態に係る扉のロックハンドル装置の正面図、図2は図１のロックハンドル装置の側面図、図３は図１のロックハンドル装置の断面図、図４は図１のロックハンドル装置の背面図、図５は図３におけるＶ−Ｖ断面図、図６は図３におけるＶＩ−ＶＩ断面図である。
【０００７】
図１，2に示すように、ハンドルユニット１は、扉３１に固定される固定受座２と、固定受座２に、相互に６０°離れた非ロック位置とロック位置の間で正逆回転可能に嵌挿される操作ハンドル３と、操作ハンドル３から延出し、固定受座２と扉３１を貫通して扉３１の裏側へ先端部が突出するハンドル軸４と、ハンドル軸４の先端側に固着される掛金体５とを具備する。
【０００８】
固定受座２は、扉３１の前面に配置される鍔部６と、鍔部６から後方へ延出するスリーブ７とを具備する。図３に示すように、固定受座２には、鍔部６とスリーブ７とを貫通する軸受け孔８が形成される。軸受け孔８は、中間の段部８ａを境に前面側へ開放する大径のばね受け部８ｂと、スリーブ７を通って後方へ開放する小径部８ｃとを有する。スリーブ７は、扉３１の前後方向に形成された貫通孔３２を貫通する。固定受座２はボルト９によって扉３１に固着される。鍔部６の前面には、図６に示すように、６０°間隔で６個のデテント溝１０が放射状に形成される。
【０００９】
図３に示すように、操作ハンドル３は、根元部１１が、固定受座２の鍔部６に正逆回転可能に嵌挿される。操作ハンドル３の回転範囲は、ボルト１２によって右又は左のいずれか一方向に６０°に限定される。すなわち、図４に示すように、ボルト１２は、頭部を固定受座２の円弧状溝１３内に摺動自在に保持されて、同溝内に形成された円弧状長孔１４を自在に貫通し、操作ハンドルの根元部１１に螺合している。根元部１１に対するボルト１２の螺合位置を変更することにより、操作ハンドル３の回転方向を右又は左に変更することができる。
【００１０】
図３に示すように、デテントピン２４は、ばね２５で突出方向に付勢されて操作ハンドルの根元部１１に保持され、頭部が固定受座２のデテント溝１０に落ち込むことにより、操作ハンドル３をロック位置又は非ロック位置に保持する。
操作ハンドルの根元部１１には、固定受座２の軸受け孔８と同心の軸受け孔１５が貫通する。軸受け孔１５は、軸受け孔８のばね受け部８ｂに連続する大径のばね受け部１５ａと、段部１５ｂを介してばね受け部１５ａに連続する角孔部１５ｃとを有する。角孔部１５ｃは、根元部１１の前面側に開口する凹部１６内に開放している。凹部１６の開口は、着脱自在のキャップ１７で閉じられる。
【００１１】
ハンドル軸４は、先端側の軸本体１８と、この軸本体１８に同心的に螺合される基端側の調整ボルト１９とを具備する。
【００１２】
軸本体１８は、固定受座２のスリーブ７を回転自在に貫通して扉３１の裏側へ突出する円柱部１８ａと、フランジ１８ｂを介して円柱部１８ａに同心的に連続する角軸部１８ｃとを有する。
【００１３】
角軸部１８ｃは、ばね受け部８ｂ，１５ａを貫通して角孔部１５ｃに軸方向相対移動自在に嵌合している。角軸部１８ｃには、軸方向にねじ穴２０が形成される。角軸部１８ｃの外周にはばね２１が外挿され、ばね受け部８ｂ，１５ａ内に収容される。ばね２１は、一端がフランジ１８ｂに、他端が段部１５ｂにそれぞれ係止され、常時軸本体１８を先端側へ付勢している。
【００１４】
調整ボルト１９は、頭部１９ａと軸部１９ｂとを有し、頭部１９ａが凹部１６内に配置され、座金２２を介在させて軸部１９ｂが角孔部１５ｃに挿通される。軸部１９ｂの先端部は、軸本体１８のねじ穴２０に螺合される。したがって、凹部１６のキャップ１７を外し、頭部１９ａにレンチを掛け、調整ボルト１９を回転操作することができる。そして、ねじ穴２０に対する調整ボルト１９の螺合深さを調整することにより、ばね２１を伸縮させつつ、軸本体１８の扉３１からの突出長さを変更することができる。
【００１５】
掛金体５は、軸本体１８の先端部に固着される。掛金体５は、図１に実線で示すように、操作ハンドル３が上下方向延びるように配置されるロック位置において受金体２３の裏側に係合し、仮想線で示すように、６０°回転した非ロック位置において受金体２３から外れる。
【００１６】
例えば、上記実施形態のロックハンドル装置を適用したスチームオーブンの扉において、締め込み具合を調整する場合には、扉３１を閉じて、操作ハンドル３をロック位置に配置し、オーブンを稼働させた状態で、キャップ１７を外し、レンチを調整ボルト１９の頭部１９ａに掛け、これを例えば右回転させると、これに螺合する軸本体１８が、ばね２１を圧縮しつつ図３において左方へ引き寄せられ、これにより掛金体５が左方へ移動するので、受金体２３との係合がより深くなり、扉３１の密閉度を増すことができる。逆に調整ボルト１９を左回転させると、軸本体１８が、ばね２１を伸ばしつつ掛金体５と共に、図３において右方へ移動するので、受金体２３との係合が浅くなり、扉３１の密閉度を下げることができる。いずれの方向への調整も、扉３１を閉じた状態で、スチームの噴出具合等を確認しながら的確に行うことができる。従来のように、調整のたびに扉を開き、オーブンを再加熱する必要がない。
【図面の簡単な説明】
【００１７】
【図１】本発明の実施形態に係る扉のロックハンドル装置の正面図である。
【図２】図１のロックハンドル装置の側面図である。
【図３】図１のロックハンドル装置の断面図である。
【図４】図１のロックハンドル装置の背面図である。
【図５】図３におけるＶ−Ｖ断面図である。
【図６】図３におけるＶＩ−ＶＩ断面図である。
【符号の説明】
【００１８】
１    ハンドルユニット
２    固定受座
３    操作ハンドル
４    ハンドル軸
５    掛金体
６    鍔部
７    スリーブ
８    軸受け孔
８ａ  段部
８ｂ  大径部
８ｃ  小径部
９    ボルト
１０  デテント溝
１１  根元部
１２  ボルト
１３  円弧状溝
１４  円弧状長孔
１５  軸受け孔
１５ａ  ばね受け部
１５ｂ  段部
１５ｃ  角孔部
１６    凹部
１７  キャップ
１８  軸本体
１９  調整ボルト
２０  ねじ穴
２１  ばね
２２  座金
２３  受金体
２４  デテントピン
２５  ばね
３１  扉
３２  貫通孔
３３  筐体
【図１】
0004682226.tif 000002
【図２】
0004682226.tif 000003
【図３】
0004682226.tif 000004
【図４】
0004682226.tif 000005
【図５】
0004682226.tif 000006
【図６】
0004682226.tif 000007